(57)【要約】      （修正有）【課題】資源の節約とコストダウンを図るディスプレイ装置を提供する。【解決手段】ディスプレイ装置は、ディスプレイ品を掛けるためのネットとネットを壁および棚のいずれか一方に選択的に取付るための取付金具１３と、取付金具１３を壁に固定するための木ねじと、取付金具１３を棚に固定するためのボルト・ナットとよりなる。取付金具１３に、ネットをキャッチするためのキャッチ６１、６２と、木ねじを係合するためのねじ孔４２と、ボルト・ナットを係合するためのボルト孔４１とが備えられているものである。【選択図】図３
0003176123.tif 000002
【実用新案登録請求の範囲】
【請求項１】
ディスプレイ品を掛けるためのネットと、ネットを第１支持体および第２支持体のいずれか一方に選択的に取付るための取付金具と、取付金具を第１支持体に固定するための第１締結具と、取付金具を第２支持体に固定するための第２締結具とよりなり、取付金具に、ネットをキャッチするためのキャッチと、第１締結具を係合するための第１係合部と、第２締結具を係合するための第２係合部とが備えられているディスプレイ装置。
【請求項２】
第１締結具は、第１支持体にねじ込み可能である木ねじよりなり、第２締結具は、第２支持体のボルト孔に通されるボルトおよびこれにねじはめられるナットよりなり、第１係合部は、木ねじのねじ部を通す第１係合孔よりなり、第２係合部は、ボルトのねじ部を通す第２係合孔よりなる請求項１に記載のディスプレイ装置。
【請求項３】
取付金具は、金属板によって一体成形された金具本体よりなり、金具本体は、第１支持体または第２支持体に当接させられる裏面を片面に有しかつ第１係合孔および第２係合孔をそれぞれ形成している平坦状基板と、基板の外周の一部に連なりかつキャッチを形成しているキャッチ板とよりなり、キャッチは、第１キャッチおよび第２キャッチよりなり、キャッチ板は、断面Ｌ字状をなすものであって、基板と直交させらて基板から正面側に突出させられている第１平板部と、第１平板部の先端縁部に連なりかつ基板と平行してこれと反対方向に拡がる第２平板部とよりなり、第２平板部の自由縁部に、ネットの線材をはめ入れうる横断面逆Ｕ字状第１キャッチが折り返し状に形成されており、第２平板部の中央部に、第１平板部とともにネットの線材を挟みうる第２キャッチが背面側に突出させられるように切り起こしされている請求項２に記載のディスプレイ装置。
【請求項４】
取付金具、第１締結具および第２締結具が１つの袋に封入されている請求項１〜３のいずれか１つに記載のディスプレイ装置。
【考案の詳細な説明】
【技術分野】
【０００１】
この考案は、例えば、店頭において、商品を吊り掛けディスプレイするために用いられるディスプレイ装置に関する。
【背景技術】
【０００２】
この種のディスプレイ装置としては、ディスプレイ品を掛けるためのネットと、ネットを第１支持体に取付るための第１取付金具と、ネットを第２支持体に取付るための第２取付金具と、第１取付金具を第１支持体に固定するための第１締結具と、第２取付金具を第２支持体に固定するための第２締結具とよりなり、第１取付金具に、ネットをキャッチするための第１キャッチと、第１締結具に対する第１係合部とが備えられており、第２取付金具に、ネットをキャッチするための第２キャッチと、第２締結具に対する第２係合部とが備えられているものが知られている。
【０００３】
このディスプレイ装置では、第１支持体および第２支持体のいずれにもに対応するために、第１および第２取付金具と、第１および第２締結具とが２種類ずつ必要であった。そのため、ネットを第１および第２支持体のいずれか一方に取付ける場合、これに対応する一方の取付金具および締結具を使用すると、他方の取付金具および締結具は不必要となり、資源およびコストの面で無駄となった。
【考案の概要】
【考案が解決しようとする課題】
【０００４】
この考案の目的は、資源の節約とコストダウンを図ることができるディスプレイ装置を提供することにある。
【課題を解決するための手段】
【０００５】
この考案によるディスプレイ装置は、ディスプレイ品を掛けるためのネットと、ネットを第１支持体および第２支持体のいずれか一方に選択的に取付るための取付金具と、取付金具を第１支持体に固定するための第１締結具と、取付金具を第２支持体に固定するための第２締結具とよりなり、取付金具に、ネットをキャッチするためのキャッチと、第１締結具を係合するための第１係合部と、第２締結具を係合するための第２係合部とが備えられているものである。
【０００６】
この考案によるディスプレイ装置では、ネットを第１支持体および第２支持体のいずれに取付る場合においても、１種類の取付金具で対応することができる。したがって、２種類の取付金具を必要とする場合と比較して、資源の節約とコストダウンを図ることができる。
【０００７】
さらに、第１締結具は、第１支持体にねじ込み可能である木ねじよりなり、第２締結具は、第２支持体のボルト孔に通されるボルトおよびこれにねじはめられるナットよりなり、第１係合部は、木ねじのねじ部を通す第１係合孔よりなり、第２係合部は、ボルトのねじ部を通す第２係合孔よりなると、一般に良く知られ比較的安価な木ねじまたはボルト・ナットを使用して、木ねじを第２係合孔に通して第１支持体にねじ込むか、第２係合孔およびボルト孔を合致させて、これにボルトを通し、ボルトにナットをネジはめるだけの簡単に操作によって、ネットを第１支持体または第２支持体に取付ることができる。
【０００８】
また、取付金具は、金属板によって一体成形された金具本体よりなり、金具本体は、第１支持体または第２支持体に当接させられる裏面を片面に有しかつ第１係合孔および第２係合孔をそれぞれ形成している平坦状基板と、基板の外周の一部に連なりかつキャッチを形成しているキャッチ板とよりなり、キャッチは、第１キャッチおよび第２キャッチよりなり、キャッチ板は、断面Ｌ字状をなすものであって、基板と直交させらて基板から正面側に突出させられている第１平板部と、第１平板部の先端縁部に連なりかつ基板と平行してこれと反対方向に拡がる第２平板部とよりなり、第２平板部の自由縁部に、ネットの線材をはめ入れうる横断面逆Ｕ字状第１キャッチが折り返し状に形成されており、第２平板部の中央部に、第１平板部とともにネットの線材を挟みうる第２キャッチが背面側に突出させられるように切り起こしされていると、１つの金具本体の板金加工だけによって、取付金具を簡単に製造することができる。
【０００９】
また、取付金具、第１締結具および第２締結具が１つの袋に封入されていると、取付金具、第１締結具および第２締結具の持運び、取扱い等に便利である。
【考案の効果】
【００１０】
この考案によれば、資源の節約とコストダウンを図ることのできるディスプレイが提供される。
【図面の簡単な説明】
【００１１】
【図１】この考案によるディスプレイ装置の正面図である。
【図２】同ディスプレイ装置の取付金具の正面図である。
【図３】図２のIII−III線にそう断面図である。
【図４】同ディスプレイ装置のネットを壁に取付た場合を示す斜視図である。
【図５】同ディスプレイ装置のネットを棚に取付た場合を示す斜視図である。
【考案を実施するための形態】
【００１２】
図１を参照すると、木製壁11に、様々なディスプレイ品Dを吊り掛けたネット12が、上下２カ所ずつの４つの取付金具13によって取付らけれている。４つの取付金具13は、同一構造のものである。
【００１３】
ネット12は、縦長方形状外枠21と、外枠21に張り渡されかつ縦横に組まれている格子22とよりなる。外枠21は、枠線材よりなる。格子22は、枠線材よりも小径の網線材よりなる。
【００１４】
図２は、取付金具13をその正面側から見たものである。取付金具13は、板金加工によって一体成形された金属板製金具本体31よりなる。
【００１５】
金具本体31は、壁11に当接させられる裏面を片面に有している方形平坦状基板31と、基板31の上縁部に連なっている断面Ｌ字状キャッチ板32とよりなる。
【００１６】
基板31の中央部には上下長孔状ボルト孔41があけられるとともに、ボルト孔41を挟んでその上下に２つのねじ孔42がそれぞれあけられている。
【００１７】
キャッチ板32は、基板31と直交させられかつ基板31から正面側に突出させられている第１平板部51と、第１平板部51の先端縁部に連なりかつ基板31と平行してこれと反対方向に拡がる第２平板部52とよりなる。
【００１８】
第２平板部52の上縁部に、横断面逆Ｕ字状第１キャッチ61が折り返し状に形成されている。第２平板部52の中央部に、第２キャッチ62が背面側に突出させられるように切り起こしされている。
【００１９】
図４に、壁11にネット12が取付られている様子が詳しく示されている。この場合、取付金具13は、図２および図３に示す状態とは、上下を逆にして、使用されている。外枠21の上枠部材が第１キャッチ61にはめ入れられて、これに、受けられている。基板31の背面を壁11に当接させた状態で、２つの木ねじ71がねじ孔42にそれぞれ通されて、壁11にねじ込まれている。
【００２０】
図５は、棚81にネット12が取付られている様子を示すものである。取付金具13は、図２および図３に示す状態で使用されている。棚81は、アングル材よりなる支柱82を有している。支柱82にはボルト孔83があけられている。上から２段目の網線材を、その下側から第１平板部51によって、その上側から第２キャッチ62によって、それぞれ挟み付けて、基板31のボルト孔41および支柱82のボルト孔83を一致させて、基板31の背面を支柱82に当接させ、この状態で、双方のボルト孔41、83にボルト91が通されかつボルト91にナット92がねじはめられている。
【産業上の利用可能性】
【００２１】
この考案によるディスプレイ装置は、店頭において、商品を吊り掛けディスプレイすることを達成するのに適している。
【符号の説明】
【００２２】
11  壁
12  ネット
13  取付金具
41  ボルト孔
42  ねじ孔
71  木ねじ
81  棚
91、92  ボルト・ナット
D  ディスプレイ品
【図１】
0003176123.tif 000003
【図２】
0003176123.tif 000004
【図３】
0003176123.tif 000005
【図４】
0003176123.tif 000006
【図５】
0003176123.tif 000007